(57)【要約】【課題】給湯水設備、排水設備および電源設備のある場所であれば容易に設置および移設することができ、岩盤浴、ミストサウナおよびシャワーを任意に使用可能な岩盤浴ユニットを提供する。【解決手段】岩盤浴ユニット１０においては、互いに連結分離可能な複数の隔壁１１ａ〜１１ｆで包囲された略気密構造の浴室１１内に岩盤浴領域１２とミストサウナ領域１３とが設けられている。岩盤浴領域１２には、使用者が仰臥可能な岩盤浴部２１と、岩盤浴部２１を構成する天照石板２１ａ、セラミックスボール２１ｂおよびモルタル２１ｃなどを加温するヒータと、外部から供給される湯水を撒布可能なシャワー器具３２などが設けられ、ミストサウナ領域１３には、浴室１１内へ水蒸気を供給するためのミスト発生器１４や、ミスト発生器１４を覆う簀の子１５ｂなどが配置されている。【選択図】図２
2007289340.tif 000002
【特許請求の範囲】
【請求項１】
互いに連結分離可能な複数の隔壁で包囲された略気密構造の浴室内に、使用者が仰臥可能な岩盤浴部と、前記岩盤浴部を加温する加温手段と、外部から供給される湯水を撒布可能なシャワー器具と、前記浴室内へ水蒸気を供給するミスト発生器と、を備えたことを特徴とする岩盤浴ユニット。
【請求項２】
前記岩盤浴部が天照石、麦飯石の少なくとも一方を含む岩盤材で形成された請求項１記載の岩盤浴ユニット。
【請求項３】
前記ミスト発生器を、前記浴室内の一部に設けられたミストサウナ領域に配置した請求項１または２記載の岩盤浴ユニット。
【発明の詳細な説明】
【技術分野】
【０００１】
本発明は、一般住宅、ホテル、健康増進施設などに設置して使用することのできる岩盤浴ユニットに関する。
【背景技術】
【０００２】
近年においては、健康、ダイエットあるいはリラクゼーションに対する関心が高まり、これに対応するように、一般住宅やビル内の部屋などに設置することのできるサウナ装置や岩盤浴装置などが開発されている（例えば、特許文献１〜３参照）。
【０００３】
特許文献１記載には、水槽タンクに溜められた真水を循環ポンプでトルマリン鉱石に接触させることによってマイナスイオンと遠赤外線とを発生させ、適温に保たれたユニット室内でサウナとシャワーができる装置が記載されている。また、特許文献２には、岩盤浴と浴槽とを備えたユニットバスが記載され、特許文献３には、岩盤浴とミストサウナとを備えた岩盤温熱浴施設が記載されている。
【０００４】
【特許文献１】特開２００６−２６３５６号公報
【特許文献２】特開２００６−３４７４６号公報
【特許文献３】特開２００５−３２９０４６号公報
【発明の開示】
【発明が解決しようとする課題】
【０００５】
近年の岩盤浴ブームにより、一般住宅などへ設置可能な岩盤浴ユニットの需要が高まるとともに、岩盤浴の前後にミストサウナに入浴したい、岩盤浴やミストサウナで汗を流した後はシャワーを浴びたい、という要請が増大している。ところが、特許文献１〜３に記載された装置や施設は、岩盤浴、サウナ、シャワー、浴槽のうちのいずれか２つ程度しか備えていないため、前述した要請に応えることができない。
【０００６】
また、特許文献３記載の岩盤温熱浴施設はミストサウナ機能も有しているが、このミストサウナは岩盤浴部分に設けられた透水性コンクリート層に水を含浸させ、岩盤浴の温熱により水分を蒸発させる方式であるため、構造が複雑である。
【０００７】
本発明が解決しようとする課題は、給湯水および排水の設備のある場所であれば容易に設置および移設することができ、岩盤浴とミストサウナとシャワーとを任意に使用可能な岩盤浴ユニットを提供することにある。
【課題を解決するための手段】
【０００８】
本発明の岩盤浴ユニットは、互いに連結分離可能な複数の隔壁で包囲された略気密構造の浴室内に、使用者が仰臥可能な岩盤浴部と、前記岩盤浴部を加温する加温手段と、外部から供給される湯水を撒布可能なシャワー器具と、前記浴室内へ水蒸気を供給するミスト発生器と、を備えたことを特徴とする。
【０００９】
このような構成とすれば、互いに連結分離可能な複数の隔壁で包囲された略気密構造の浴室を形成し、その中に使用者が仰臥可能な岩盤浴部と、前記岩盤浴部を加温する加温手段と、外部から供給される湯水を撒布可能なシャワー器具と、前記浴室内へ水蒸気を供給するミスト発生器と、を配置することにより、岩盤浴ユニットを構築することができる。従って、給湯水および排水の設備のある場所であれば容易に設置および移設することができる。また、浴室内には、岩盤浴部、シャワー器具およびミスト発生器の３種類の設備を備えているため、岩盤浴、ミストサウナ、シャワーを任意に使用可能である。
【００１０】
この場合、前記岩盤浴部が天照石、麦飯石の少なくとも一方を含む岩盤材で形成することが望ましい。このような構成とすれば、天照石や麦飯石から放出される４〜１４μｍの電磁波（遠赤外線）が人体の細胞を活性化したり、血流を亢進させたりするため、健康増進、疲労回復などに有効である。なお、天照石とは、宮崎県の高千穂地方で産出される岩石であり、地質学的には「レキ岩ホルンフェルツ」とよばれ、約２億３０００万年前に生成されたものである。また、麦飯石とは「花崗斑岩」とよばれる岩石である。
【００１１】
また、前記ミスト発生器を、前記浴室内の一部に設けられたミストサウナ領域に配置すれば、岩盤浴とミストサウナとの使い分けが容易となるほか、岩盤浴、ミストサウナのいずれか一方のみを選択的に使用可能となるため、使い勝手が向上する。
【発明の効果】
【００１２】
本発明により、給湯水設備、排水設備および電源設備のある場所であれば容易に設置および移設することができ、岩盤浴、ミストサウナおよびシャワーを任意に使用可能な岩盤浴ユニットを提供することができる。
【発明を実施するための最良の形態】
【００１３】
以下、図面に基づき本発明の実施形態について説明する。図１は本発明の第１実施形態である岩盤浴ユニットを示す斜視図、図２は図１に示す岩盤浴ユニットの水平断面図、図３は図２におけるＡ矢視図、図４は図２におけるＢ矢視図、図５は図２におけるＣ矢視図、図６は図２におけるＤ矢視図、図７は図２に示す岩盤浴部の垂直断面を模式的に示す図である。
【００１４】
図１に示すように、本実施形態の岩盤浴ユニット１０は、互いに連結分離可能な複数の隔壁部材１１ａ〜１１ｆで包囲された略気密構造の浴室１１内に、岩盤浴領域１２とミストサウナ領域１３とが設けられている。岩盤浴領域１２とミストサウナ領域１３との間には開閉可能な折り畳み式のカーテン１９が配置されている。直方体形状をした浴室１１の正面部分を構成する隔壁部材１１ｂには、使用者が浴室１１内へ出入りするための開口部２３ａが開設され、開口部２３ａには浴室１１の内外から開閉可能なドア２３が設けられている。
【００１５】
浴室１１の天井部分および周壁部分を構成する隔壁部材１１ａ〜１１ｅおよびドア２３は硬質塩化ビニル枠材で固定された複数の鋼板の間にポリウレタンフォームを充填した構造であり、いずれも断熱性を有している。また、浴室１１の床部分を構成する隔壁部材１１ｂは繊維強化プラスチックスに断熱用ポリウレタンフォームを吹き付けた構造であり、断熱性および防水性を備えている。さらに、浴室１１を構成する複数の隔壁部材１１ａ〜１１ｆは、互いの接合部分に設けられた凹凸部（図示せず）を嵌合させ、必要に応じてネジで締め付けることにより、互いに連結分離可能に組み立てられている。
【００１６】
浴室１１内におけるドア２３寄りの部分に設けられたミストサウナ領域１３には簀の子１５ａが敷設され、その隔壁部材１１ｃ寄りの部分には浴室１１内へ水蒸気を供給するためのミスト発生器１４が配置されている。ミスト発生器１４の上面および側面は、当該ミスト発生器１４から発生するミストが通過可能な簀の子１５ｂで覆われている。また、ミストサウナ領域１３より奥の部分に設けられた岩盤浴領域１２には使用者が仰臥可能な岩盤浴部２１が設けられている。
【００１７】
岩盤浴部２１の中心部分には四角形をした複数の天照石板２１ａが浴室１１の長手方向に並べて敷設され、その両側に複数のセラミックスボール２１ｂが分散配置されている。これらのセラミックスボール２１ｂはモルタル２１ｃによって固定されている。セラミックスボール２１ｂおよびモルタル２１ｃはいずれも天照石の粉末を含有している。また、岩盤浴部２１の周囲には木製の床部３１が配置されている。
【００１８】
図２，図３に示すように、浴室１１の天井部分を構成する隔壁部材１１ａには換気扇２０が設けられ、隔壁部材１１ｄには照明１６が設けられ、隔壁部材１１ｅにはタオル掛け１８および通話器２２が設けられている。通話器２２は、緊急時などに、浴室１１内に居る使用者と外部の人間とが相互に会話するための装置である。浴室１１の床部分を構成する隔壁部材１１ｆの下面には、高さ調節可能な複数の支持脚２５が取り付けられ、ミストサウナ領域１３の下面部分には排水器具２４が設けられている。ミストサウナ領域１３の上方に配置されている換気扇２０は、浴室１１内の温度を維持しながら換気を行うことができる熱交換方式の換気扇である。また、浴室１１全体は、複数の支持脚２５により、設置面Ｆから約８０ｍｍ〜１２０ｍｍ程度隙間を置いた位置に保持されている。
【００１９】
図４に示すように、ドア２３の内面には開閉操作用の取っ手２３ｂが設けられ、ドア２３の上方には透光性を有するガラス２３ｃが配置されている。図２に示すように、岩盤浴領域１２におけるミストサウナ領域１３寄り部分の隔壁部材１１ｃの内面には、外部から供給される湯水を撒布可能なシャワー器具３２が配置されている。また、図４に示すように、ミスト発生器１４の上面を覆う簀の子１５ｂは、簀の子１５ａよりも高い位置にあるため、ミストサウナ領域１３に居る使用者は簀の子１５ｂに腰掛けることができる。
【００２０】
図２，図５，図６に示すように、隔壁部材１１ｅには、前述したシャワー器具３２のほか、温水ミスト発生用水栓２６、岩盤浴部２１などを洗浄する際に使用可能な水栓２７、使用者が岩盤浴部２１に仰臥したり、起き上がったりする際に使用することのできる握りバー１７などが配置されている。照明１６は隔壁部材１１ｄの上方に配置されており、岩盤浴部２１上に仰臥した使用者が手を伸ばして操作できる位置に配置された操作部（図示せず）若しくはリモコン（図示せず）により、点灯、消灯および明るさ調節をすることができる。
【００２１】
図７に示すように、岩盤浴部２１は、隔壁部材１１ｆの上面に配置された断熱材３０と、断熱材３０上に配置されたヒータ２９と、ヒータ２９上に配置された保護モルタル２８と、保護モルタル２８上に打設されたモルタル２１ｃによって固定された複数の天照石板２１ａおよびセラミックスボール２１ｂと、を備えている。ヒータ２９は商用電源から供給される電気によって発熱し、保護モルタル２８を介して、天照石板２１ａ、セラミックスボール２１ｂおよびモルタル２１ｃなどを加温する。
【００２２】
このように岩盤浴ユニット１０は、互いに連結分離可能な複数の隔壁１１ａ〜１１ｆで包囲された略気密構造の浴室１１を形成し、その中に使用者が仰臥可能な岩盤浴部２１と、岩盤浴部２１の天照石板２１ａおよびセラミックスボール２１ｂなどを加温するヒータ２９と、外部から供給される湯水を撒布可能なシャワー器具３２と、浴室１１内へ水蒸気を供給するミスト発生器１４と、を配置することによって構築することができる。従って、給湯水設備、排水設備および電源設備のある場所であれば容易に設置および移設することができる。また、浴室１１内には岩盤浴部２１、シャワー器具３２およびミスト発生器１４を備えているため、岩盤浴、ミストサウナおよびシャワーを任意に使用可能である。この場合、岩盤浴領域１２とミストサウナ領域１３とは開閉可能な折り畳み式のカーテン１９によって区画されているため、必要に応じて折り畳み式カーテン１９を拡げれば、岩盤浴領域１２とミストサウナ領域１３とを区画することができる。
【００２３】
また、岩盤浴部２１に設けられた、天照石板２１ａと、天照石の粉末を含有するセラミックスボール２１ｂおよびモルタル２１ｃが、通電によって６０℃程度で発熱するヒータ２９で加温されると、天照石板２１ａ、セラミックスボール２１ｂおよびモルタル２１ｃが４５℃〜５５℃まで昇温し、浴室１１内は温度４０±５℃で湿度８０％〜１００％に保たれる。このとき、４５℃〜５５℃まで昇温した天照石板２１ａなどから波長４μｍ〜１４μｍ程度の電磁波（遠赤外線）が放出される。このようにして放出された遠赤外線により、岩盤浴部２１上に仰臥した使用者の細胞が活性化され、血流も亢進するため、疲労回復、健康増進などに有効である。
【００２４】
さらに、ミスト発生器１４は、浴室１１内の一部に設けられたミストサウナ領域１３に配置されているため、岩盤浴とミストサウナとの使い分けが容易である。また、岩盤浴、ミストサウナのいずれか一方のみを選択的に使用することも可能であり、使い勝手が良好である。なお、岩盤浴ユニット１０を構成する浴室１１のサイズ、岩盤浴領域１２およびミストサウナ領域１３の広さなどは限定しないので、設置場所の広さや使用者の要望などに応じて適切なサイズにすることができる。
【００２５】
次に、図８を参照して、本発明の第２実施形態である岩盤浴ユニット５０について説明する。図８は本発明の第２実施形態である岩盤浴ユニットを示す水平断面図である。なお、図８において、図１〜図７に示す符号と同符号を付した部分は、第１実施形態の岩盤浴ユニット１０の構成部分と同じ機能、効果を有する部分であるため、説明を省略する。
【００２６】
図８に示すように、本実施形態の岩盤浴ユニット５０は、凹凸状の嵌合機構やネジなどの連結手段を用いて互いに連結分離可能な複数の隔壁部材５１ｂ〜５１ｅなどで包囲された略気密構造の浴室５１内に、岩盤浴領域５２とミストサウナ領域５３とが設けられている。岩盤浴領域５２には二つの岩盤浴部２１が並列に配置され、それぞれの岩盤浴部２１と隔壁部材５１ｂとの間にミストサウナ領域５３が設けられている。このような構成とすれば、二人の使用者が同時に岩盤浴ユニット５０を使用することができる。その他の部分の構造、機能については岩盤浴ユニット１０と同様である。なお、岩盤浴部２１の配置数は１または２に限定するものではないので、３以上の岩盤浴部２１およびそれに応じたミストサウナ領域を有する岩盤浴ユニットを構築することもできる。
【産業上の利用可能性】
【００２７】
本発明の岩盤浴ユニットは、一般住宅、ホテル、健康増進施設などに設置して広く利用することができる。
【図面の簡単な説明】
【００２８】
【図１】本発明の第１実施形態である岩盤浴ユニットを示す斜視図である。
【図２】図１に示す岩盤浴ユニットの水平断面図である。
【図３】図２におけるＡ矢視図である。
【図４】図２におけるＢ矢視図である。
【図５】図２におけるＣ矢視図である。
【図６】図２におけるＤ矢視図である。
【図７】図２に示す岩盤浴部の垂直断面を模式的に示す図である。
【図８】本発明の第２実施形態である岩盤浴ユニットを示す水平断面図である。
【符号の説明】
【００２９】
１０，５０  岩盤浴ユニット
１１，５１  浴室
１１ａ〜１１ｆ，５１ｂ〜５１ｅ  隔壁部材
１２，５２  岩盤浴領域
１３，５３  ミストサウナ領域
１４  ミスト発生器
１５ａ，１５ｂ  簀の子
１６  照明
１７  握りバー
１８  タオル掛け
１９  カーテン
２０  換気扇
２１  岩盤浴部
２１ａ  天照石板
２１ｂ  セラミックスボール
２１ｃ  モルタル
２２  通話器
２３  ドア
２３ａ  開口部
２３ｂ  取っ手
２３ｃ  ガラス
２４  排水器具
２５  支持脚
２６  温水ミスト発生用水栓
２７  水栓
２８  保護モルタル
２９  ヒータ
３０  断熱材
３１  床部
３２  シャワー器具
【図１】
2007289340.tif 000003
【図２】
2007289340.tif 000004
【図３】
2007289340.tif 000005
【図４】
2007289340.tif 000006
【図５】
2007289340.tif 000007
【図６】
2007289340.tif 000008
【図７】
2007289340.tif 000009
【図８】
2007289340.tif 000010